(57)【特許請求の範囲】
【請求項１】
複数の異なる被測定物に対し、第１の等色関数と第１の等色関数とは異なる第２の等色関数各々に対応する測色値を測定する刺激値直読型の測色計であって、
１枚の補正色フィルターと、
前記補正色フィルターを非補正位置又は補正位置に配置するための切り替え機構と、
第１の測色光学系、第２の測色光学系及び第３の測色光学系を備え、前記補正色フィルターが前記非補正位置に配置された場合に、前記第１の測色光学系、前記第２の測色光学系及び前記第３の測色光学系が、前記補正色フィルターを透過しない光線束を受光し、第１の等色関数の第１の部分、第２の部分及び第３の部分に近似した分光応答度をそれぞれ有し、被測定光の分光強度に応じた第１の信号、第２の信号及び第３の信号をそれぞれ出力し、前記補正色フィルターが前記補正位置に配置された場合に、前記第１の測色光学系、前記第２の測色光学系及び前記第３の測色光学系の全部又は一部が、前記補正色フィルターを透過した光線束を受光し、前記第１の測色光学系、前記第２の測色光学系及び前記第３の測色光学系が、第２の等色関数の第４の部分、第５の部分及び第６の部分に近似した分光応答度をそれぞれ有し、被測定光の分光強度に応じた第４の信号、第５の信号及び第６の信号をそれぞれ出力する測色光学系群と、
前記第１の等色関数が選択された場合の第１の測色値を前記第１の信号、前記第２の信号及び前記第３の信号から導出し、前記第２の等色関数が選択された場合の第２の測色値を前記第４の信号、前記第５の信号及び前記第６の信号から導出する導出機構と、
を備え、
前記補正色フィルターの分光透過率は、第２の等色関数を第１の等色関数で除した値である刺激値直読型の測色計。
【請求項２】
前記補正色フィルターが前記補正位置に配置される場合に、前記第１の測色光学系、前記第２の測色光学系及び前記第３の測色光学系の全部が、前記補正色フィルターを透過した光線束を受光する
請求項１の刺激値直読型の測色計。
【請求項３】
前記第１の測色光学系は、
第１の分光透過率を有する第１の色フィルターと、
前記第１の色フィルターを透過した光線束を受光し前記第１の信号を出力する第１の受光センサーと、
を備え、
前記第２の測色光学系は、
第２の分光透過率を有する第２の色フィルターと、
前記第２の色フィルターを透過した光線束を受光し前記第２の信号を出力する第２の受光センサーと、
を備え、
前記第３の測色光学系は、
第３の分光応答度を有する第３の色フィルターと、
前記第３の色フィルターを透過した光線束を受光し前記第３の信号を出力する第３の受光センサーと、
を備える請求項１又は２の刺激値直読型の測色計。
【請求項４】
前記切り替え機構が、前記補正色フィルターを移動させるのに必要な駆動力を発生する駆動力源を備える自動機構又は当該駆動力源を備えない手動機構である
請求項１から３までのいずれかの刺激値直読型の測色計。
【請求項５】
前記導出機構は、
前記第１の信号、前記第２の信号、前記第３の信号、前記第４の信号、前記第５の信号及び前記第６の信号を処理し、前記第１の信号、前記第２の信号、前記第３の信号、前記第４の信号、前記第５の信号及び前記第６の信号の強度をそれぞれ表現する第１の１次信号値、第２の１次信号値、第３の１次信号値、第４の１次信号値、第５の１次信号値及び第６の１次信号値を得る信号処理回路と、
前記第１の等色関数に対応する校正係数を乗ずることにより前記第１の１次信号値、前記第２の１次信号値及び前記第３の１次信号値を校正し第１の２次信号値、第２の２次信号値及び第３の２次信号値を得る第１の校正部と、
前記第２の等色関数に対応する校正係数を乗ずることにより前記第４の１次信号値、前記第５の１次信号値及び前記第６の１次信号値を校正し第４の２次信号値、第５の２次信号値及び第６の２次信号値を得る第２の校正部と、
前記第１の２次信号値、前記第２の２次信号値及び前記第３の２次信号値から前記第１の測色値を演算する第１の測色値演算部と、
前記第４の２次信号値、前記第５の２次信号値及び前記第６の２次信号値から前記第２の測色値を演算する第２の測色値演算部と、
を備える請求項１から４までのいずれかの刺激値直読型の測色計。
【請求項６】
前記補正色フィルターが色吸収フィルター、干渉膜フィルター又は色吸収フィルターと干渉膜フィルターとの組み合わせである
請求項１から５までのいずれかの刺激値直読型の測色計。
【請求項７】
前記第１の部分が前記第１の等色関数のx成分であり、
前記第２の部分が前記第１の等色関数のy成分であり、
前記第３の部分が前記第１の等色関数のz成分であり、
前記第４の部分が前記第２の等色関数のx成分であり、
前記第５の部分が前記第２の等色関数のy成分であり、
前記第６の部分が前記第２の等色関数のz成分である
請求項１から６までのいずれかの刺激値直読型の測色計。
【請求項８】
前記第１の等色関数及び前記第２の等色関数の一方が、国際照明委員会において1931年に採択されたXYZ表色系の等色関数であり、前記第１の等色関数及び前記第２の等色関数の他方は国際照明委員会において1931年に採択されたXYZ表色系の等色関数と異なる等色関数であること特徴とする請求項１から７までのいずれかの刺激値直読型の測色計。
【請求項９】
前記第２の等色関数はVos and Judd(1978)修正等色関数あるいはTR-170-1修正等色関数であること特徴とする請求項８の刺激値直読型の測色計。
【発明の詳細な説明】
【技術分野】
【０００１】
本発明は、複数の等色関数の各々に対応する測色値を測定する刺激値直読型の測色計に関する。
【背景技術】
【０００２】
国際照明委員会(CIE)において1931年に採択されたXYZ表色系の等色関数（以下では「CIE1931XYZ等色関数」という。）は、客観的な数値で表現された色の指標を求めるための色評価関数の一種である。CIE1931XYZ等色関数は、ディスプレイ、ランプ等の色を測定する場合の標準的な色評価関数として長期間に渡って採用されてきた。特許文献１は、その一例である。
【０００３】
しかし、CIE1931XYZ等色関数が色評価関数として選択された場合に得られる測色値は、特許文献２に記載されているように、実際の人間の目視感と必ずしも一致しない。このため、CIE1931XYZ等色関数を修正した等色関数（以下では「修正等色関数」という。）が提案されている。例えば、Vos and Judd(1978)修正等色関数、TR-170-1修正等色関数、Stockman and Sharpe(1998)修正等色関数等が提案されている。修正等色関数が選択された場合に得られる測色値は、CIE1931XYZ等色関数が選択された場合に得られる測色値と比較して、実際の人間の目視感とより一致する。
【先行技術文献】
【特許文献】
【０００４】
【特許文献１】特開平１１−６７６６号公報
【特許文献２】特表２０１１−５１７７８３号公報
【発明の概要】
【発明が解決しようとする課題】
【０００５】
上記のように、修正等色関数が選択された場合に得られる測色値は、CIE1931XYZ等色関数が選択された場合に得られる測色値と比較して、実際の人間の目視感とより一致する。しかし、CIE1931XYZ等色関数は、長期間にわたって標準的な色評価関数の地位を占めてきたため、過去の測定データーとの比較等のために、CIE1931XYZ等色関数が選択された場合の測色値を測定することが望まれる場合も多い。このため、CIE1931XYZ等色関数が選択された場合の測色値及び修正等色関数が選択された場合の測色値の両方を一台の測色計で測定できることが望ましい。
【０００６】
CIE1931XYZ等色関数が選択された場合の測色値及び修正等色関数が選択された場合の測色値の両方を一台の測色計で測定するためには、測色の方式を分光測色方式とするか、又は、測色の方式を刺激値直読方式としCIE1931XYZ等色関数に対応する測色光学系及び修正等色関数に対応する測色光学系の両方を設ければよい。しかし、これらは、測色計を複雑にする。
【０００７】
この問題は、一台の測色計によりCIE1931XYZ等色関数及び修正等色関数の各々に対応する測色値を測定する場合に限らず、一台の測色計により複数の等色関数の各々に対応する測色値を測定する場合に一般に生じる。
【０００８】
発明の詳細な説明に記載された発明は、上記の問題を解決することを目的とする。発明の詳細な説明に記載された発明が解決しようとする課題は、簡潔な構成を備える一台の刺激値直読型の測色計により複数の等色関数の各々に対応する測色値を測定することである。
【課題を解決するための手段】
【０００９】
複数の異なる被測定物に対し、第１の等色関数と第１の等色関数とは異なる第２の等色関数各々に対応する測色値を測定する刺激値直読型の測色計において、測色光学系群は、１枚の補正色フィルターが非補正位置に配置された場合に、補正色フィルターを透過しない光線束を受光し、第１の等色関数に近似した分光応答度群を有し、被測定光の分光強度に応じた強度を有する第１の信号群を出力し、１枚の補正色フィルターが補正位置に配置された場合に、補正色フィルターを透過した光線束を受光し、第２の等色関数に近似した分光応答度群を有し、被測定光の分光強度に応じた強度を有する第２の信号群をそれぞれ出力する。導出機構は、第１の等色関数が選択された場合の測色値を第１の信号群から導出し、第２の等色関数が選択された場合の測色値を第２の信号群から導出する。補正色フィルターの分光透過率は、第２の等色関数を第１の等色関数で除した値である。
【発明の効果】
【００１０】
簡潔な構成を備える一台の刺激値直読型の測色計により複数の等色関数の各々に対応する測色値が測定される。
【００１１】
これらの及びこれら以外の発明の目的、特徴、局面及び利点は、添付図面とともに考慮されたときに下記の発明の詳細な説明によってより明白となる。
【図面の簡単な説明】
【００１２】
【図１】CIE1931XYZ等色関数を示すグラフである。
【図２】Vos and Judd(1978)修正等色関数及びCIE1931XYZ等色関数を示すグラフである。
【図３】TR-170-1修正等色関数及びCIE1931XYZ等色関数を示すグラフである。
【図４】色彩輝度計の模式図である。
【図５】測定プローブの光学系の模式図である。
【図６】測定プローブの電気系及び計測器本体の模式図である。
【図７】色フィルターの分光透過率等を示すグラフである。
【図８】補正色フィルターの分光透過率を示すグラフである。
【図９】補正色フィルターの分光透過率をVos and Judd修正等色関数に乗じたもの及びCIE1931XYZ等色関数を示すグラフである。
【図１０】等色関数Bを等色関数Aで除した商を示すグラフである。
【図１１】色度の演算アルゴリズムを説明するための図である。
【図１２】色度の測定の流れを示すフローチャートである。
【図１３】照度計の模式図である。
【図１４】白色ＬＥＤが発する光の分光強度を個体ごとに示すグラフである。
【発明を実施するための形態】
【００１３】
１  等色関数
この実施形態の色彩輝度計は、CIE1931XYZ等色関数が色評価関数として選択された場合の測色値及び修正等色関数が色評価関数として選択された場合の測色値の両方を測定できる。下記の説明においては、色彩輝度計について説明するのに先立って、CIE1931XYZ等色関数及び修正等色関数について説明する。
【００１４】
２  CIE1931XYZ等色関数
図１のグラフは、CIE1931XYZ等色関数を示す。
【００１５】
図１に示されるように、CIE1931XYZ等色関数は、x成分xbar(lambda)、y成分ybar(lambda)及びz成分zbar(lambda)を有する。CIE1931XYZ等色関数のx成分xbar(lambda)、y成分ybar(lambda)及びz成分zbar(lambda)は、波長lambdaの関数である。CIE1931XYZ等色関数のx成分xbar(lambda)は、442nm付近及び599nm付近にピークを有する。CIE1931XYZ等色関数のy成分ybar(lambda)は、555nm付近にピークを有する。CIE1931XYZ等色関数のz成分zbar(lambda)は、446nm付近にピークを有する。CIE1931XYZ等色関数のx成分xbar(lambda)は、短波長側xbar1(lambda)及び長波長側xbar2(lambda)に分割できる。短波長側xbar1(lambda)は、x成分xbar(lambda)の短波長側のピークを含むが長波長側のピークを含まない波長範囲の部分であり、例えば500nm以下の波長範囲の部分である。長波長側xbar2(lambda)は、x成分xbar(lambda)のうちの長波長側のピークを含むが短波長側のピークを含まない波長範囲の部分であり、例えば500nm以上の波長範囲の部分である。短波長側xbar1(lambda)と長波長側xbar2(lambda)との境界は、例えば490nm以上510nm以下である。
【００１６】
３  修正等色関数
修正等色関数は、CIE1931XYZ等色関数と同様に、x成分xbar(lambda)、y成分ybar(lambda)及びz成分zbar(lambda)を有する。修正等色関数のx成分xbar(lambda)は、CIE1931XYZ等色関数のそれと同様に、短波長側xbar1(lambda)及び長波長側xbar2(lambda)に分割できる。
【００１７】
４  CIE1931XYZ等色関数と修正等色関数との比較
修正等色関数は、500nm以下の波長範囲において、特に400nmから500nmまでの波長範囲において、CIE1931XYZ等色関数と顕著に相違するが、500nm以上の波長範囲において、CIE1931XYZ等色関数と顕著に相違しない。
【００１８】
このため、500nm以下の波長範囲において大きな相対強度を持つ、修正等色関数のx成分xbar(lambda)の短波長側xbar1(lambda)は、CIE1931XYZ等色関数のそれと顕著に相違する。また、500nm以下の波長範囲において大きな相対強度を持つ、修正等色関数のz成分zbar(lambda)は、CIE1931XYZ等色関数のそれと顕著に相違する。
【００１９】
しかし、500nm以下の波長範囲において大きな値を持たない、修正等色関数のx成分xbar(lambda)の長波長側xbar2(lambda)は、CIE1931XYZ等色関数のそれと顕著に相違しない。また、500nm以下の波長範囲において大きな値を持たない、修正等色関数のy成分ybar(lambda)は、CIE1931XYZ等色関数のそれと顕著に相違しない。
【００２０】
Vos and Judd(1978)修正等色関数及びTR-170-1修正等色関数を例にこれらのことを説明する。
【００２１】
図２のグラフは、Vos and Judd(1978)修正等色関数及びCIE1931XYZ等色関数を示す。図３のグラフは、TR-170-1修正等色関数及びCIE1931XYZ等色関数を示す。
【００２２】
図２に示されるように、Vos and Judd(1978)修正等色関数のx成分xbar(lambda)のうちの380nmから500nmまでの波長範囲の部分xbar1(lambda)はCIE1931XYZ等色関数のそれと顕著に相違し、Vos and Judd(1978)修正等色関数のz成分zbar(lambda)はCIE1931XYZ等色関数のそれと顕著に相違する。
【００２３】
しかし、図２に示されるように、Vos and Judd(1978)修正等色関数のx成分xbar(lambda)のうちの500nmから780nmまでの波長領域の部分xbar2(lambda)はCIE1931XYZ等色関数のそれと顕著に相違せず、Vos and Judd(1978)修正等色関数のy成分ybar(lambda)はCIE1931XYZ等色関数のそれと顕著に相違しない。
【００２４】
図３に示されるように、TR-170-1修正等色関数についても同様のことがいえる。
【００２５】
５  測色値の導出に用いる部分
下記の説明においては、等色関数A及びBの一方がCIE1931XYZ等色関数であり、等色関数A及びBの他方が修正等色関数であるとする。下記の説明においては、等色関数Aが選択された場合の測色値を導出するために必要な第１の部分、第２の部分及び第３の部分としてそれぞれx成分xbar(lambda)、y成分ybar(lambda)及びz成分zbar(lambda)が等色関数Aから抽出され、等色関数Bが選択された場合の測色値を導出するために必要な第４の部分、第５の部分及び第６の部分としてそれぞれx成分xbar(lambda)、y成分ybar(lambda)及びz成分zbar(lambda)が等色関数Bから抽出される。等色関数Aが選択された場合の測色値を第１の部分、第２の部分及び第３の部分から導出可能であり、等色関数Bが選択された場合の測色値を第４の部分、第５の部分及び第６の部分から導出可能である限り、等色関数Aからの第１の部分、第２の部分及び第３の部分の抽出箇所が変更されてもよく、等色関数Bからの第４の部分、第５の部分及び第６の部分の抽出箇所が変更されてもよい。例えば、第１の部分、第２の部分及び第３の部分としてそれぞれx成分xbar(lambda)の長波長側xbar2(lambda)、y成分ybar(lambda)及びz成分zbar(lambda)が等色関数Aから抽出され、第４の部分、第５の部分及び第６の部分としてそれぞれx成分xbar(lambda)の長波長側xbar2(lambda)、y成分ybar(lambda)及びz成分zbar(lambda)が等色関数Bから抽出されてもよい。x成分xbar(lambda)に代えてx成分xbar(lambda)の長波長側xbar2(lambda)を用いることができるのは、x成分xbar(lambda)の短波長側xbar1(lambda)はz成分zbar(lambda)の係数倍により近似可能であるためである。
【００２６】
６  色彩輝度計
図４の模式図は、この実施形態の色彩輝度計１０００を示す。
【００２７】
色彩輝度計１０００は、液晶ディスプレイの表示面の色を測定する。色彩輝度計１０００が液晶ディスプレイ以外のフラットパネルディスプレイの表示面の色を測定してもよい。色彩輝度計１０００がフラットパネルディスプレイ以外の発光物の色を測定してもよい。色彩輝度計１０００が非発光物の色を測定してもよい。
【００２８】
色彩輝度計１０００は、Yxy表色系における輝度及び色度を測定する。色彩輝度計１０００が、Yxy表色系における輝度及び色度に代えて、又は、Yxy表色系における輝度及び色度に加えて、他の測色値を測定してもよい。例えば、色彩輝度計１０００が、L*a*b*表色系における明度指数及びクロマティクネス指数、L*C*h表色系における明度指数、彩度及び色相角、マンセル表色系における色相、明度及び彩度、L*u*v*表色系における明度指数及びクロマティクネス指数、XYZ表色系における刺激値、RGB表色系における刺激値、色温度等を測定してもよい。色彩輝度計１０００が色差を測定してもよい。輝度の測定が省略されてもよい。
【００２９】
測定の対象、測定される測色値、測定の精度等によっては、装置が色彩輝度計以外の名称で呼ばれる場合がある。例えば、装置が色彩計、色彩照度計、カラーリーダー等と呼ばれる場合がある。この出願書類においては、測色値を測定する装置が測色計と総称される。
【００３０】
色彩輝度計１０００は、刺激値直読方式により測色値を測定する刺激値直読型の測色計の一種である。
【００３１】
図４に示されるように、色彩輝度計１０００は、測定プローブ１０１０及び計測器本体１０１１を備える。
【００３２】
測定プローブ１０１０は、測定が行われる場合に、液晶ディスプレイ１０２０の表示面１０３０の前方に測定姿勢で配置される。測定プローブ１０１０がそのように配置された場合は、測定プローブ１０１０が表示面１０３０に対向し、表示面１０３０が発光する被測定光が測定プローブ１０１０に受光される。
【００３３】
計測器本体１０１１は、操作が行われたことを検出した場合に、検出した操作に応じた処理を測定プローブ１０１０に行わせるための制御信号を測定プローブ１０１０へ送信する。測定プローブ１０１０は、制御信号を受信した場合に、制御信号にしたがって処理を行い、被測定光のX成分、Y成分及びZ成分の強度を検出し、被測定光のX成分、Y成分及びZ成分の強度をそれぞれ表現する１次信号値V1(X),V1(Y)及びV1(Z)を計測器本体１０１１へ出力する。計測器本体１０１１は、１次信号値V1(X),V1(Y)及びV1(Z)が入力された場合に、１次信号値V1(X),V1(Y)及びV1(Z)から色度x及びyを導出し、色度x及びyを表示する。測定プローブ１０１０が計測器本体１０１１の機能の全部又は一部を担ってもよい。計測器本体１０１１が測定プローブ１０１０の機能の一部を担ってもよい。測定プローブ１０１０が計測器本体１０１１の機能の全部を担う場合は、計測器本体１０１１が省略され測定プローブ１０１０がスタンドアローンとなってもよい。測定プローブ１０１０は、測定ヘッド、センサーヘッド等と呼ばれる場合もある。
【００３４】
７  測定プローブ
図５の模式図は、測定プローブ１０１０の光学系を示す。図６の模式図は、測定プローブ１０１０の電気系及び計測器本体１０１１を示す。
【００３５】
図５及び図６に示されるように、測定プローブ１０１０は、補正色フィルター１０４０、切り替え機構１０４１、対物光学系１０４２、分岐光学系１０４３、測色光学系群１０４４、信号処理回路１０４５等を備える。切り替え機構１０４１は、受信した切り替え信号にしたがって、補正色フィルター１０４０を非補正位置１０５０又は補正位置１０５１に配置する。切り替え機構１０４１は、補正色フィルター１０４０を移動させるのに必要な駆動力を発生するモーター、アクチュエーター等の駆動力源を備える自動機構である。切り替え機構１０４１が当該駆動力源を備えない手動機構であってもよい。
【００３６】
補正色フィルター１０４０が非補正位置１０５０に配置された場合は、被測定光１０６０は、対物光学系１０４２により収束させられ、分岐光学系１０４３により三分岐させられ、測色光学系群１０４４に受光される。これにより、測色光学系群１０４４は、補正色フィルター１０４０を透過しない光線束を受光する。補正色フィルター１０４０が補正位置１０５１に配置された場合は、被測定光１０６０は、補正色フィルター１０４０を透過し、対物光学系１０４２により収束させられ、分岐光学系１０４３により三分岐させられ、測色光学系群１０４４に受光される。これにより、測色光学系群１０４４は、補正色フィルター１０４０を透過した光線束を受光する。被測定光１０６０が対物光学系１０４２により発散させられる場合又はコリメート化される場合もある。被測定光１０６０が、対物光学系１０４２及び分岐光学系１０４３以外の光学系を経由してもよい。対物光学系１０４２及び分岐光学系１０４３の両方又は片方が省略される場合もある。
【００３７】
測色光学系群１０４４は、補正色フィルター１０４０を透過しない光線束を受光した場合に、信号S(Xa),S(Ya)及びS(Za)を出力し、補正色フィルター１０４０を透過した光線束を受光した場合に、信号S(Xb),S(Yb)及びS(Zb)を出力する。信号S(Xa),S(Ya)及びS(Za)の強度は、被測定光１０６０の分光強度に応じる。被測定光１０６０の分光強度と信号S(Xa),S(Ya)及びS(Za)の強度との関係を示す分光応答度は、等色関数Aに近似する。信号S(Xb),S(Yb)及びS(Zb)の強度は、被測定光１０６０の分光強度に応じる。被測定光１０６０の分光強度と信号S(Xb),S(Yb)及びS(Zb)の強度との関係を示す分光応答度は、等色関数Bに近似する。
【００３８】
信号処理回路１０４５は、信号S(Xa),S(Ya)及びS(Za)が入力された場合に、信号S(Xa),S(Ya)及びS(Za)を処理し、信号S(Xa),S(Ya)及びS(Za)の強度をそれぞれ表現する１次信号値V1(Xa),V1(Ya)及びV1(Za)を得、１次信号値V1(Xa),V1(Ya)及びV1(Za)を計測器本体１０１１へ送信する。また、信号処理回路１０４５は、信号S(Xb),S(Yb)及びS(Zb)が入力された場合に、信号S(Xb),S(Yb)及びS(Zb)を処理し、信号S(Xb),S(Yb)及びS(Zb)の強度をそれぞれ表現する１次信号値V1(Xb),V1(Yb)及びV1(Zb)を得、１次信号値V1(Xb),V1(Yb)及びV1(Zb)を計測器本体１０１１へ送信する。
【００３９】
８  非補正位置及び補正位置
補正位置１０５１は、被測定光１０６０の光路上であって被測定光１０６０の入射口と対物光学系１０４２との間にある。このため、被測定光１０６０は、補正色フィルター１０４０が補正位置１０５１にある場合に、被測定光１０６０の入射口から対物光学系１０４２までの区間において補正色フィルター１０４０を透過する。補正位置１０５１が被測定光１０６０の光路上にある限り、補正位置１０５１が変更されてもよい。例えば、補正位置１０５１が、対物光学系１０４２と分岐光学系１０４３との間、分岐光学系１０４３と測色光学系群１０４４との間、測色光学系群１０４４の内部等に変更されてもよい。ただし、分岐光学系１０４３が備えられる場合は、補正位置１０５１は望ましくは被測定光１０６０の入射口と分岐光学系１０４３との間にある。これにより、補正色フィルター１０４０の枚数が１枚で足りる。補正色フィルター１０４０が干渉フィルターである場合は、補正位置１０５１は望ましくは光線束が平行光線束になる位置にある。これにより、斜入射による波長シフト、偏光の影響等が抑制される。
【００４０】
非補正位置１０５０は、被測定光１０６０の光路外にある。非補正位置１０５０は、色彩輝度計１０００の内部であってもよいし色彩輝度計１０００の外部であってもよい。したがって、補正色フィルター１０４０は、非補正位置１０５０に配置される場合に、色彩輝度計１０００の内部において移動させられてもよいし、色彩輝度計１０００から取り外されてもよい。補正色フィルター１０４０が色彩輝度計１０００から取り外される場合は、例えば、補正色フィルター１０４０を補正位置１０５１に保持するホルダーが色彩輝度計１０００の内部に備えられ、補正色フィルター１０４０をホルダーから取り外すことにより補正色フィルター１０４０が光路外へ退避させられる。
【００４１】
９  測色光学系群
測色光学系群１０４４は、測色光学系１０７０，１０７１及び１０７２を備える。測色光学系１０７０，１０７１及び１０７２は、それぞれ集光レンズ群１０８０，１０８１及び１０８２を備え、それぞれ色フィルター１０９０，１０９１及び１０９２を備え、それぞれ受光センサー１１００，１１０１及び１１０２を備える。
【００４２】
測色光学系群１０４４が光線束を受光する場合は、測色光学系１０７０，１０７１及び１０７２の各々が、バンドルファイバー等の分岐光学系１０４３により三分岐された光線束を受光する。測色光学系１０７０，１０７１及び１０７２が受光した光線束は、それぞれ集光レンズ群１０８０，１０８１及び１０８２により集光させられ、それぞれ色フィルター１０９０，１０９１及び１０９２を透過し、それぞれ受光センサー１１００，１１０１及び１１０２に受光される。集光レンズ群１０８０，１０８１及び１０８２が省略される場合もある。
【００４３】
受光センサー１１００は、補正色フィルター１０４０が非補正位置１０５０に配置された場合に、補正色フィルター１０４０を透過しない光線束を受光し、信号S(Xa)を出力し、補正色フィルター１０４０が補正位置１０５１に配置された場合に、補正色フィルター１０４０を透過した光線束を受光し、信号S(Xb)を出力する。信号S(Xa)の強度は、被測定光１０６０の分光強度に応じる。信号S(Xb)の強度は、被測定光１０６０の分光強度に応じる。被測定光１０６０の分光強度と信号S(Xa)の強度との関係を示す分光応答度は、等色関数Aのx成分xbar(lambda)に近似する。被測定光１０６０の分光強度と信号S(Xb)の強度との関係を示す分光応答度は、等色関数Bのx成分xbar(lambda)に近似する。
【００４４】
受光センサー１１０１は、補正色フィルター１０４０が非補正位置１０５０に配置された場合に、補正色フィルター１０４０を透過しない光線束を受光し、信号S(Ya)を出力し、補正色フィルター１０４０が補正位置１０５１に配置された場合に、補正色フィルター１０４０を透過した光線束を受光し、信号S(Yb)を出力する。信号S(Ya)の強度は、被測定光１０６０の分光強度に応じる。信号S(Yb)の強度は、被測定光１０６０の分光強度に応じる。被測定光１０６０の分光強度と信号S(Ya)の強度との関係を示す分光応答度は、等色関数Aのy成分ybar(lambda)に近似する。被測定光１０６０の分光強度と信号S(Yb)の強度との関係を示す分光応答度は、等色関数Bのy成分ybar(lambda)に近似する。
【００４５】
受光センサー１１０２は、補正色フィルター１０４０が非補正位置１０５０に配置された場合に、補正色フィルター１０４０を透過しない光線束を受光し、信号S(Za)を出力し、補正色フィルター１０４０が補正位置１０５１に配置された場合に、補正色フィルター１０４０を透過した光線束を受光し、信号S(Zb)を出力する。信号S(Za)強度は、被測定光１０６０の分光強度に応じる。信号S(Zb)の強度は、被測定光１０６０の分光強度に応じる。被測定光１０６０の分光強度と信号S(Za)の強度との関係を示す分光応答度は、等色関数Aのz成分zbar(lambda)に近似する。被測定光１０６０の分光強度と信号S(Zb)の強度との関係を示す分光応答度は、等色関数Bのz成分zbar(lambda)に近似する。
【００４６】
補正色フィルター１０４０が非補正位置１０５０に配置された場合は、測色光学系１０７０，１０７１及び１０７２の全部が補正色フィルター１０４０を透過しない光線束を受光し、補正色フィルター１０４０が補正位置１０５１に配置された場合は、測色光学系１０７０，１０７１及び１０７２の全部が補正色フィルター１０４０を透過した光線束を受光する。ただし、補正色フィルター１０４０が補正位置１０５１に配置された場合に、測色光学系１０７０，１０７１及び１０７２の一部のみが補正色フィルター１０４０を透過した光線束を受光するようにしてもよい。例えば、等色関数Bのy成分が等色関数Aのy成分と顕著に相違しない場合は、補正色フィルター１０４０が補正位置１０５１に配置された場合に、測色光学系１０７０及び１０７２のみが補正色フィルター１０４０を透過した光線束を受光するようにしてもよい。
【００４７】
補正位置１０５１が測色光学系群１０４４の内部にある場合は、補正位置１０５１は、集光レンズ群１０８０，１０８１及び１０８２と色フィルター１０９０，１０９１及び１０９２との間、及び、色フィルター１０９０，１０９１及び１０９２と受光センサー１１００，１１０１及び１１０２との間のいずれであってもよい。
【００４８】
１０  色フィルターの分光透過率
図７のグラフは、色フィルターの分光透過率、対物光学系の分光透過率、分岐光学系の分光透過率、集光レンズ群の分光透過率、受光センサーの分光感度及び全体の分光応答度を示す。
【００４９】
図７に示されるように、対物光学系の透過率、分岐光学系の透過率、集光レンズ群の透過率及び受光センサーの感度は、波長に依存するので、被測定光の分光強度と受光センサーが出力する信号の強度との関係を示す全体の分光応答度は、色フィルターの分光透過率だけでは決まらず、対物光学系の分光透過率、分岐光学系の分光透過率及び集光レンズ群の分光透過率の影響を受ける。例えば、全体の分光応答度は、対物光学系を構成するレンズの分光透過率、分岐光学系を構成する光ファイバーの分光透過率等の影響を受ける。被測定光が対物光学系、分岐光学系及び集光レンズ群以外の光学系を経由する場合は、全体の分光応答度は、当該光学系の分光透過率の影響も受ける。全体の分光応答度がその他の要素の影響を受ける場合もある。例えば、全体の分光応答度が受光センサーの受光面の分光反射率の影響を受ける場合もある。
【００５０】
色フィルター１０９０の分光透過率は、色フィルター１０９０の分光透過率そのものが等色関数Aのx成分xbar(lambda)に近似するように選択されるのではなく、全体の分光応答度が等色関数Aのx成分xbar(lambda)に近似するように選択される。すなわち、色フィルター１０９０の分光透過率は、色彩輝度計１０００に入射する被測定光１０６０の分光強度と測色光学系１０７０が出力する信号S(Xa)の強度との関係を示す分光応答度が等色関数Aのx成分xbar(lambda)に近似するように選択される。同様に、色フィルター１０９１の分光透過率は、色彩輝度計１０００に入射する被測定光１０６０の分光強度と測色光学系１０７１が出力する信号S(Ya)の強度との関係を示す分光応答度が等色関数Aのy成分ybar(lambda)に近似するように選択される。色フィルター１０９２の分光透過率は、色彩輝度計１０００に入射する被測定光１０６０の分光強度と測色光学系１０７２が出力する信号S(Za)の強度との関係を示す分光応答度が等色関数Aのz成分ybar(lambda)に近似するように選択される。
【００５１】
色フィルター１０９０，１０９１及び１０９２の各々は、複数の吸収フィルターの積層体であってもよいし、干渉フィルターであってもよいし、吸収フィルターと干渉フィルターとの組み合わせであってもよい。干渉フィルターを構成する干渉膜の材料は、誘電体であり、例えば、酸化物からなる。
【００５２】
１１  補正色フィルターの分光透過率
補正色フィルター１０４０の分光透過率は、色フィルター１０９０，１０９１及び１０９２の分光透過率が上記のように選択された上で、色彩輝度計１０００に入射する被測定光１０６０の分光強度と測色光学系１０７０が出力する信号S(Xb)の強度との関係を示す分光応答度が等色関数Bのy成分xbar(lambda)に近似し、色彩輝度計１０００に入射する被測定光１０６０の分光強度と測色光学系１０７１が出力する信号S(Yb)の強度との関係を示す分光応答度が等色関数Bのy成分ybar(lambda)に近似し、色彩輝度計１０００に入射する被測定光１０６０の分光強度と測色光学系１０７２が出力する信号S(Zb)の強度との関係を示す分光応答度が等色関数Bのz成分ybar(lambda)に近似するように選択される。
【００５３】
図８のグラフは、等色関数AがVos and Judd修正等色関数であり等色関数BがCIE1931XYZ等色関数である場合の補正色フィルター１０４０の分光透過率を示す。図９のグラフは、図８に示される補正色フィルター１０４０の分光透過率をVos and Judd修正等色関数に乗じたもの及びCIE1931XYZ等色関数を示す。
【００５４】
図９に示されるように、図８に示される補正色フィルター１０４０の分光透過率をVos and Judd修正等色関数に乗じたものは、CIE1931XYZ等色関数と大差がない。このことは、図８に示される分光透過率を補正色フィルター１０４０が有する場合は、補正色フィルター１０４０が補正位置１０５１に配置されたときに測色光学系群１０４４がCIE1931XYZ等色関数に近似した分光応答度を有することを意味する。
【００５５】
補正色フィルター１０４０の分光透過率は、基本的に、等色関数Bを等色関数Aで除した商であり、例えば、等色関数Bのx成分xbar(lambda)を等色関数Aのx成分xbar(lambda)で除した第１の商と、等色関数Bのy成分ybar(lambda)を等色関数Aのy成分ybar(lambda)で除した第２の商と、等色関数Bのz成分zbar(lambda)を等色関数Aのz成分zbar(lambda)で除した第３の商と、の平均である。ただし、測色値への影響が相対的に大きい波長範囲のみを考慮し測色値への影響が相対的に小さい波長範囲を考慮しないことも許される。測色値への影響が相対的に大きい成分のみを考慮し測色値への影響が相対的に小さい成分を考慮しないことも許される。例えば、x成分xbar(lambda)の短波長側xbar1(lambda)のピークの大きさと長波長側xbar2(lambda)のピークの大きさとの比が測色値に与える影響が大きいことに鑑みて、上記の第１の商を補正色フィルター１０４０の分光透過率とすることが考えられる。この他、500nm以下の波長範囲においては上記の第３の商を補正色フィルター１０４０の分光透過率とし500nm以上の波長範囲においては上記の第１の商及び第２の商の平均を補正色フィルター１０４０の分光透過率とすることも考えられる。
【００５６】
図１０のグラフは、CIE1931XYZ等色関数をVos and Judd修正等色関数で除した商を示す。図８に示される補正色フィルター１０４０の分光透過率は、図１０に示されるCIE1931XYZ等色関数のx成分xbar(lambda)をVos and Judd修正等色関数のx成分xbar(lambda)で除した商であるが、測色値への影響が相対的に小さい長波長側においては当該商にかかわらず一定値をとる。
【００５７】
補正色フィルター１０４０も、複数の吸収フィルターの積層体であってもよいし、干渉フィルターであってもよいし、吸収フィルターと干渉フィルターとの組み合わせであってもよい。
【００５８】
１２  信号処理回路
信号処理回路１０４５は、図６に示されるように、増幅回路１１１０，１１１１及び１１１２、アナログ／デジタル変換器１１２０，１１２１及び１１２２等を備える。受光センサー１１００，１１０１及び１１０２並びにアナログ／デジタル変換器１１２０，１１２１及び１１２２の仕様によっては増幅回路１１１０，１１１１及び１１１２が省略される場合もある。
【００５９】
信号S(Xa),S(Ya)及びS(Za)が信号処理回路１０４５に入力された場合は、増幅回路１１１０，１１１１及び１１１２がそれぞれ信号S(Xa),S(Ya)及びS(Za)を増幅し、アナログ／デジタル変換器１１２０，１１２１及び１１２２がそれぞれ増幅された信号S(Xa),S(Ya)及びS(Za)を１次信号値V1(Xa),V1(Ya)及びV1(Za)へ変換する。信号S(Xb),S(Yb)及びS(Zb)が信号処理回路１０４５に入力された場合は、増幅回路１１１０，１１１１及び１１１２がそれぞれ信号S(Xb),S(Yb)及びS(Zb)を増幅し、アナログ／デジタル変換器１１２０，１１２１及び１１２２がそれぞれ増幅された信号S(Xb),S(Yb)及びS(Zb)を１次信号値V1(Xb),V1(Yb)及びV1(Zb)へ変換する。
【００６０】
１３  計測器本体
計測器本体１０１１は、組み込みコンピューター１１３０、操作部１１３１及び表示部１１３２を備える。組み込みコンピューター１１３０は、インストールされたファームウェアを実行することにより下記の機能を担う。ソフトウェアを伴わないハードウェアが下記の機能の全部又は一部を担ってもよい。表示部１１３２は、ディスプレイ、ランプ、プリンタ等である。操作部１１３１は、キーボード、ポインティングデバイス、タッチパネル、スイッチ、ダイヤル等である。
【００６１】
組み込みコンピューター１１３０は、操作部１１３１に対して操作が行われたことを検出した場合に、検出した操作に応じた処理を行う。
【００６２】
組み込みコンピューター１１３０は、１次信号値V1(Xa),V1(Ya)及びV1(Za)を受信した場合に、等色関数Aが選択された場合の色度xa及びyaを１次信号値V1(Xa),V1(Ya)及びV1(Za)から演算し、色度xa及びyaを表示部１１３２に表示させ、１次信号値V1(Xb),V1(Yb)及びV1(Zb)を受信した場合に、等色関数Bが選択された場合の色度xb及びybを１次信号値V1(Xb),V1(Yb)及びV1(Zb)から演算し、色度xb及びybを表示部１１３２に表示させる。組み込みコンピューター１１３０は、１次信号値V1(Ya)又はV1(Yb)から輝度Lvを演算し、輝度Lvを表示部１１３２に表示させる。輝度Lvは、望ましくはCIE1931XYZ等色関数のy成分に近似する分光応答度を有する分光測色系により出力される信号の強度を表現する信号値から演算される。
【００６３】
１４  色度の演算アルゴリズム
図１１のブロック図は、色度の演算アルゴリズムを説明するための図である。
【００６４】
図１１に示されるモード設定部１１４０、校正部１１４１及び１１４２並びに色度演算部１１４３及び１１４４は、組み込みコンピューター１１３０が担う処理を示す。
【００６５】
モード設定部１１４０は、操作部１１３１に対して行われた操作に基づいてモードを特定し、色彩輝度計１０００をモード１又はモード２に設定する。色彩輝度計１０００がモード１及びモード２以外のモードを有してもよい。モード設定部１１４０は、色彩輝度計１０００をモード１に設定する場合は、補正色フィルター１０４０を非補正位置１０５０に配置する動作を切り替え機構１０４１に行わせる切り替え信号を切り替え機構１０４１に送信し、色彩輝度計１０００をモード２に設定する場合は、補正色フィルター１０４０を補正位置１０５１に配置する動作を切り替え機構１０４１に行わせる切り替え信号を切り替え機構１０４１に送信する。補正色フィルター１０４０が非補正位置１０５０及び補正位置１０５１のいずれに配置されているのかを検出し、補正色フィルター１０４０が非補正位置１０５０に配置されている場合にモード１を選択し、補正色フィルター１０４０が補正位置１０５１に配置されている場合にモード２を選択してもよい。
【００６６】
モード設定部１１４０が色彩輝度計１０００をモード１に設定した場合は、校正部１１４１及び色度演算部１１４３により、１次信号値V1(Xa),V1(Ya)及びV1(Za)から色度xa及びyaが演算される。
【００６７】
モード設定部１１４０が色彩輝度計１０００をモード２に設定した場合は、校正部１１４２及び色度演算部１１４４により、１次信号値V1(Xb),V1(Yb)及びV1(Zb)から色度xb及びybが演算される。
【００６８】
校正部１１４１は、等色関数Aに対応する校正係数を１次信号値V1(Xa),V1(Ya)及びV1(Za)の各々に乗じることにより１次信号値V1(Xa),V1(Ya)及びV1(Za)を校正し、２次信号値V2(Xa),V2(Ya)及びV2(Za)を得る。これにより、測色光学系１０７０の分光応答度、測色光学系１０７１の分光応答度及び測色光学系１０７２の分光応答度の間の相対関係が、等色関数Aのx成分xbar(lambda)、等色関数Aのy成分ybar(lambda)及び等色関数Aのz成分zbar(lambda)の間の相対関係と一致しない場合でも、等色関数Aのx成分xbar(lambda)、等色関数Aのy成分ybar(lambda)及び等色関数Aのz成分zbar(lambda)の間の相対関係を反映した２次信号値V2(Xa),V2(Ya)及びV2(Za)が得られる。２次信号値V2(Xa),V2(Ya)及びV2(Za)は、刺激値Xa,Ya及びZaとして利用される。
【００６９】
校正部１１４２は、等色関数Bに対応する校正係数を１次信号値V1(Xb),V1(Yb)及びV1(Zb)の各々に乗じることにより１次信号値V1(Xb),V1(Yb)及びV1(Zb)を校正し、２次信号値V2(Xb),V2(Yb)及びV2(Zb)を得る。これにより、測色光学系１０７０の分光応答度、測色光学系１０７１の分光応答度及び測色光学系１０７２の分光応答度の間の相対関係が、等色関数Bのx成分xbar(lambda)、等色関数Bのy成分ybar(lambda)及び等色関数Bのz成分zbar(lambda)の間の相対関係と一致しない場合でも、等色関数Bのx成分xbar(lambda)、等色関数Bのy成分ybar(lambda)及び等色関数Bのz成分zbar(lambda)の間の相対関係を反映した２次信号値V2(Xb),V2(Yb)及びV2(Zb)が得られる。２次信号値V2(Xb),V2(Yb)及びV2(Zb)は、刺激値Xb,Yb及びZbとして利用される。
【００７０】
校正係数を１次信号値に乗ずること以外により校正が行われてもよい。例えば、増幅回路１１１０，１１１１及び１１１２の増幅率を校正係数に応じて調整することにより校正が行われてもよい。すなわち、デジタル信号値の校正に代えてアナログ信号の校正が行われてもよい。校正部１１４１及び１１４２が省略される場合もある。校正部１１４１及び１１４２が省略される場合は、１次信号値V1(Xa),V1(Ya)及びV1(Za)が刺激値Xa,Ya及びZaとして利用され、２次信号値V2(Xb),V2(Yb)及びV2(Zb)が刺激値Xb,Yb及びZbとして利用される。
【００７１】
色度演算部１１４３は、刺激値Xa,Ya及びZaから色度xa及びyaを演算する。
【００７２】
色度演算部１１４４は、刺激値Xb,Yb及びZbから色度xb及びybを演算する。
【００７３】
信号処理回路１０４５及び組み込みコンピューター１１３０は、導出機構１１５０を構成する。導出機構１１５０は、全体として、信号S(Xa),S(Ya)及びS(Za)から色度xa及びyaを導出し、信号S(Xb),S(Yb)及びS(Zb)から色度xb及びybを導出する。
【００７４】
１５  測定の流れ
図１２のフローチャートは、色度の測定の流れを示す。
【００７５】
色彩輝度計１０００においては、組み込みコンピューター１１３０が、測定の開始を指示する操作が操作部１１３１に対して行われたことを検出した場合に、測定を測定プローブ１０１０に開始させるための制御信号を測定プローブ１０１０へ送信する。この制御信号は、測定プローブ１０１０に測定を開始させる測定トリガーとなる。
【００７６】
図１２に示されるように、組み込みコンピューター１１３０は、ステップ１１６０において測定トリガーを受信する。
【００７７】
組み込みコンピューター１１３０は、ステップ１１６１においてモードを確認し、モードに応じて異なる処理を行う。
【００７８】
組み込みコンピューター１１３０は、ステップ１１６１においてモード１が選択されたことを確認した場合に、ステップ１１６２において補正色フィルター１０４０を非補正位置１０５０に配置させ、ステップ１１６３において１次信号値V1(Xa),V1(Ya)及びV1(Za)を取得する。
【００７９】
組み込みコンピューター１１３０は、ステップ１１６２においてモード２が選択されたことを確認した場合に、ステップ１１６４において補正色フィルター１０４０を補正位置１０５１に配置させ、ステップ１１６５において１次信号値V1(Xb),V1(Yb)及びV1(Zb)を取得する。
【００８０】
続いて、組み込みコンピューター１１３０は、ステップ１１６６においてモードを確認し、モードに応じて異なる処理を行う。
【００８１】
組み込みコンピューター１１３０は、ステップ１１６６においてモード１が選択されたことを確認した場合に、ステップ１１６７において、等色関数Aに対応する校正係数Aを参照して１次信号値V1(Xa),V1(Ya)及びV1(Za)を校正し２次信号値V2(Xa),V2(Ya)及びV2(Za)を得、ステップ１１６８において、２次信号値V2(Xa),V2(Ya)及びV2(Za)（刺激値Xa,Ya及びZa）から色度xa及びyaを演算する。
【００８２】
組み込みコンピューター１１３０は、ステップ１１６６においてモード２が選択されたことを確認した場合に、ステップ１１６９において、等色関数Bに対応する校正係数Bを参照して１次信号値V1(Xb),V1(Yb)及びV1(Zb)を校正し２次信号値V2(Xb),V2(Yb)及びV2(Zb)を得、ステップ１１７０において、２次信号値V2(Xb),V2(Yb)及びV2(Zb)（刺激値Xb,Yb及びZb）から色度xb及びybを演算する。
【００８３】
組み込みコンピューター１１３０は、ステップ１１７１において演算した色度を表示する。
【００８４】
１６  照度計における採用例
上記の補正色フィルター１０４０と同様の補正色フィルターは、測色計の一種である照度計においても採用される。
【００８５】
図１３の模式図は、照度計２０００を示す。
【００８６】
図１３に示されるように、照度計２０００においては、補正色フィルター２０１０が非補正位置２０２０に配置された場合は、光源２０３０から到来した被測定光２０４０が、対物光学系である拡散板２０１１により拡散させられ、測色光学系群２０１２に受光され、補正色フィルター２０１０が補正位置２０２１に配置された場合は、光源２０３０から到来した被測定光２０４０が、拡散板２０１１により拡散させられ、補正色フィルター２０１０を透過し、測色光学系群２０１２に受光される。
【００８７】
１７  分光測色方式に対する刺激値直読方式の利点
測色の方式は、分光測色方式及び刺激値直読方式に大別される。
【００８８】
分光測色方式により測色が行われる場合は、回折格子等の分光素子により被測定光が分光され、多数の受光センサーからなる受光センサーアレイにより各波長成分の強度が検出され、分光スペクトル及び等色関数から測色値が演算される。分光測色方式によれば、複数の等色関数の各々に対応する測色値が同一の分光スペクトルから演算される。しかし、分光測色方式においては、分光素子、分解能が高く明るいレンズ系等の複雑な光学系が必要になり、多数の受光センサーが必要になり、測色計が大きく高コストになる。
【００８９】
これに対して、刺激値直読方式により測色が行われる場合は、一般的には、３個の受光センサーからなる受光センサー群及び等色関数に近似した分光応答度を受光センサー群に持たせる３個の色フィルターからなる色フィルター群により刺激値が検出され、刺激値から測色値が演算される。刺激値直読方式によれば、複雑な光学系が不要になり、多数の受光センサーが不要になり、測色計が小さく低コストになる。しかし、刺激値直読方式においては、複数の等色関数の各々に対応する測色値を同一の刺激値から演算できない。刺激値直読方式により測色が行われる場合に複数の等色関数の各々に対応する測色値を得るためには、複数の等色関数の各々に対応する色フィルター群が必要になる。したがって、２個の等色関数の各々に対応する測色値を得る場合に、２個の色フィルター群が必要になり、６個の色フィルターが必要になる。
【００９０】
これに対して、この実施形態が提供する改良された刺激値直読方式においては、２個の等色関数の各々に対応する測色値を得る場合に、４個の色フィルターがあれば足りる。
【００９１】
したがって、この実施形態が提供する改良された刺激値直読方式によれば、簡潔な構成を備える一台の刺激値直読型の測色計により複数の等色関数の各々に対応する測色値が測定される。
【００９２】
１８  特に適する用途
白色発光ダイオード（ＬＥＤ）を光源とする装置が広く普及している。例えば、白色ＬＥＤを光源とする照明器具、液晶ディスプレイ等が広く普及している。白色ＬＥＤとしては、青色ＬＥＤが発する青色の励起光で黄色蛍光体を励起し黄色蛍光体に黄色の蛍光を発光させ、青色の励起光成分及び黄色の蛍光成分からなる白色光を得るものが多く採用されている。
【００９３】
当該白色ＬＥＤが発する光の色評価においては、励起光成分が属する400nmから500nmまでの波長範囲における測定の精度が重要である。その理由を説明する。
【００９４】
図１４は、白色ＬＥＤが発する光の分光強度を個体ごとに示すグラフである。
【００９５】
一般的にいって、図１４に示されるように、蛍光成分の分光強度は相対的に安定であるのに対して、励起光成分の分光強度は相対的に不安定である。励起光成分の分光強度は、ピーク波長については10nm程度の個体差を有し、ピーク強度については１０％程度の個体差を有する。加えて、励起光成分の分光強度のピーク波長は、同一の個体であっても、温度により2nm程度変動する。
【００９６】
また、蛍光成分の分光強度のピークは相対的に緩やかであるのに対して、励起光成分の分光強度のピークは相対的に急峻である。
【００９７】
これらのことから、白色ＬＥＤが発する光の色評価においては、励起光成分が属する400nmから500nmまでの波長範囲における測定の精度が測色値に与える影響、特に、刺激値X,Y及びZのうちのZに与える影響が大きい。
【００９８】
このため、白色ＬＥＤが発する光の色評価においては、等色関数のz成分の選択が重要であり、人間の目視感に一致するｚ成分を有する修正等色関数に対応した測色値を得られるようにすることへの要望が強い。
【００９９】
一方で、過去の測定結果と比較を行う場合等のために、CIE1931XYZ等色関数に対応した測色値を得られるようにすることへの要望が強い。
【０１００】
CIE1931XYZ等色関数が選択された場合の測色値及び修正等色関数が選択された場合の測色値の両方を測定できる色彩輝度計１０００は、これらの要望に応えることができ、白色ＬＥＤが発する光の色評価に特に適する。
【０１０１】
本発明は詳細に示され記述されたが、上記の記述は全ての局面において例示であって限定的ではない。したがって、本発明の範囲からはずれることなく無数の修正及び変形が案出されうると解される。
【符号の説明】
【０１０２】
１０００  色彩輝度計
１０１０  測定プローブ
１０１１  計測器本体
【図１】
0006631001.tif 000002
【図２】
0006631001.tif 000003
【図３】
0006631001.tif 000004
【図４】
0006631001.tif 000005
【図５】
0006631001.tif 000006
【図６】
0006631001.tif 000007
【図７】
0006631001.tif 000008
【図８】
0006631001.tif 000009
【図９】
0006631001.tif 000010
【図１０】
0006631001.tif 000011
【図１１】
0006631001.tif 000012
【図１２】
0006631001.tif 000013
【図１３】
0006631001.tif 000014
【図１４】
0006631001.tif 000015